(57)【要約】【課題】  畑や農場、牧場等の生産側に近い生産現場等においては、工場内に大量の飛翔昆虫が紛れ込むため、これを効率的に捕獲し、かつ、効率的な後処理をする必要性が高い。【解決手段】本発明の殺虫機では、衝撃殺虫された虫の残骸を回収する通気性素材からなる略円筒状の残骸回収袋０１１１と、虫を衝撃殺虫して、残骸回収袋の内面略円周方向に殺虫された虫の残骸を強風排出する殺虫排出ファン０１０８と、からなり、効率的に虫を捕獲、殺虫した後、殺虫排出ファンからの旋回排気により虫の死骸を効率的に乾燥させることができる吸引型殺虫機を提供する。【選択図】    図１
2008054564.tif 000002
【特許請求の範囲】
【請求項１】
衝撃殺虫された虫の残骸を回収する通気性素材からなる略円筒状の残骸回収袋と、
虫を衝撃殺虫して、残骸回収袋の内面略円周方向に殺虫された虫の残骸を強風排出する殺虫排出ファンと、
からなる殺虫機。
【請求項２】
前記殺虫排出ファンは、回転羽根により虫を衝撃殺虫し、この回転羽根の略円周位置に排気口を有する請求項１に記載の殺虫機。
【請求項３】
吸引口を有するとともに、前記殺虫排出ファンに対して吸引口から吸引された虫を回転軸線方向から導き入れるように取り付けられているダクトを有する請求項１又は２に記載の殺虫機。
【請求項４】
前記ダクトの吸引口には、虫を誘引する誘引手段を備えた吸引フードを有する請求項１から３のいずれか一に記載の殺虫機。
【請求項５】
前記ダクトは伸縮性を有する構造からなり、吸引口の高さを変更するためのスライド式の高さ調整手段を有する請求項１から４のいずれか一に記載の殺虫機。
【請求項６】
前記吸引口には、吸引風速を調節するための風速調整手段を有する請求項１から５のいずれか一に記載の殺虫機。
【請求項７】
前記殺虫排出ファンの吸引風速は５ｍ／ｓｅｃ以上であることを特徴とする請求項１から６のいずれか一に記載の殺虫機。
【発明の詳細な説明】
【技術分野】
【０００１】
本発明は、一般食品加工施設、畜産施設、鶏舎、医薬品製造施設、工場、農園、倉庫、商店等における虫の捕獲、殺虫、乾燥を行う技術に関する。
【背景技術】
【０００２】
近年、消費者にとって食の安全面は極めて関心の高い事項であり、生産者においてもこれに応えるべく、さまざまな対策を行っている。その一つが、飛翔昆虫等の食物への混入防止対策である。飛翔昆虫対策に用いられる装置としては、例えば、電撃式の殺虫機が挙げられる。電撃式の殺虫機は、蚊、ハエ、コガネムシなどの飛翔昆虫を誘引灯で誘引し、高電圧で感電殺虫するものである。しかし、電撃式の殺虫機では、電撃殺虫後の昆虫の死骸が散乱するという欠点があった。
【０００３】
そこで、引用文献１では、吸引式の捕虫機に関する技術が提案されている。引用文献１の吸引式の捕虫機では、誘引灯にて飛翔昆虫を誘引し、誘引灯付近に集まった昆虫を誘引灯付近に配置された吸引フードによって吸引捕獲し、ダクトを介して捕虫機本体まで移送し、捕虫袋で飛翔昆虫を回収する構造となっている。
【特許文献１】実公平２−５７４２
【発明の開示】
【発明が解決しようとする課題】
【０００４】
最終製品を製造する食品工場等では、工場内に紛れ込む虫の数自体が少ないため、虫を捕獲する機能さえ有していれば、その後の処理を考慮する必要性に乏しい。しかし、畑や農場、牧場等の生産現場に近い施設等においては、作物に虫が紛れ込んだままの状態で施設内に搬入されるため、施設内にも大量の虫が紛れ込む。このため、大量の虫を効率的に捕獲し、かつ、効率的な後処理をしなければならないという問題点がある。
【０００５】
引用文献１に記載の捕虫機では、虫を捕獲することはできても、その後の処理については言及されておらず、上記問題点である大量の虫を効率的に捕獲し、後処理をすることができない。
【課題を解決するための手段】
【０００６】
そこで、本発明では、上記課題を解決するために、効率的に虫を捕獲し、殺虫し、適切な処理を行う吸引型殺虫機を提供することを目的とする。当該目的を達成するために、本発明では、以下の構成を有する殺虫機を提案する。
【０００７】
第一発明では、衝撃殺虫された虫の残骸を回収する通気性素材からなる略円筒状の残骸回収袋と、虫を衝撃殺虫して、残骸回収袋の内面略円周方向に殺虫された虫の残骸を強風排出する殺虫排出ファンと、からなる殺虫機を提案する。
【０００８】
第二発明では、第一発明に記載の殺虫機であって、前記殺虫排出ファンは、回転羽根により虫を衝撃殺虫し、この回転羽根の略円周位置に排気口を有する殺虫機を提案する。
【０００９】
第三発明では、第一発明又は第二発明に記載の殺虫機であって、吸引口を有するとともに、前記殺虫排出ファンに対して吸引口から吸引された虫を回転軸線方向から導き入れるように取り付けられているダクトを有する殺虫機を提案する。
【００１０】
第四発明では、第一発明から第三発明のいずれか一に記載の殺虫機であって、前記ダクトの吸引口には、虫を誘引する誘引手段を備えた吸引フードを有する殺虫機を提案する。
【００１１】
第五発明では、第一発明から第四発明のいずれか一に記載の殺虫機であって、前記ダクトは伸縮性を有する構造からなり、吸引口の高さを変更するためのスライド式の高さ調整手段を有する殺虫機を提案する。
【００１２】
第六発明では、第一発明から第五発明のいずれか一に記載の殺虫機であって、前記吸引口には、吸引風速を調節するための風速調整手段を有する殺虫機を提案する。
【００１３】
第七発明では、第一発明から第六発明のいずれか一に記載の殺虫機であって、前記殺虫排出ファンの吸引風速は５ｍ／ｓｅｃ以上である殺虫機を提案する。
【発明の効果】
【００１４】
以上のような構成をとる本発明の殺虫機では、吸引された大量の虫を効率的に殺虫し、かつ、殺虫した後の虫の残骸を効率的に乾燥させることができる。このため、殺虫した虫の残骸の腐敗等を防ぐことができるため衛生的であり、虫の残骸を一般ごみとして廃棄処理することが可能である。
【発明を実施するための最良の形態】
【００１５】
以下に、図を用いて本発明の実施の形態を説明する。なお、本発明はこれら実施の形態に何ら限定されるものではなく、その要旨を逸脱しない範囲において、種々なる態様で実施しうる。なお、実施形態１は主に請求項１、２について説明する。実施形態２は主に請求項３、４について説明する。実施形態３は主に請求項５について説明する。実施形態４は主に請求項６、７について説明する。
【００１６】
≪実施形態共通の概念≫
【００１７】
本実施形態に共通する概念を、図１を用いて説明する。図１に示すのは、本実施形態１乃至４に記載の機能を有する殺虫機の正面図（図１（ａ））と側面図（図１（ｂ））である。図１に示す殺虫機は、吸引フード０１０１、誘引灯０１０２、反射板０１０３、吸引口０１０４、ダクト０１０５、ファンモータ０１０６、ファンケーシング０１０７、タイマ０１０８、風向案内板０１０９、残骸回収袋０１１０、スライド式高さ調整手段０１１１、キャスター０１１４などからなる。
【００１８】
図１において、吸引フード０１０１には誘引灯０１０２が備え付けられ、誘引灯からの光は誘引効果を増大させるための反射板０１０３により反射されて広範囲から虫を誘引する。吸引フード０１０１にはダクト０１０５の一端が接続され、ダクト０１０５の他端はファンケーシング０１０７に接続されている。ファンケーシング０１０７内部には回転羽根（図示せず）が収納されており、回転羽根はファンモータ０１０６にて高速回転させることができる。
【００１９】
回転羽根をファンモータ０１０６にて高速回転をさせると、ダクト０１０５を介して、吸引フード０１０１の吸引口０１０４から空気を吸引することができる。吸引口０１０４には、誘引灯０１０２が設置されているため、吸引口付近に誘引された虫を空気とともに吸引することができる。吸引された虫は、高速回転している回転羽根又は／及びファンケーシング０１０７の内面との衝撃により、瞬間的に殺虫される。
【００２０】
衝撃殺虫された虫の残骸は、ファンケーシング０１０７から強制的に残骸回収袋０１１０に排気される。残骸回収袋０１１０は、通気性の素材からなり、空気のみを排気し、虫の残骸を内部に回収することができる。本発明では、ファンケーシング０１０７から残骸回収袋０１１０への排気方向が風向案内板０１０９により案内される点に特徴を有し、虫の残骸を効率的に乾燥させることができる。
【００２１】
≪実施形態１≫
【００２２】
（実施形態１の構成）図２に本実施形態における殺虫機を示す。本実施形態における殺虫機は、「残骸回収袋」０２０１と、「殺虫排出ファン」０２０２とを有する。
【００２３】
（実施形態１の構成の説明）「残骸回収袋」０２０１は、衝撃殺虫された虫の残骸を回収するように構成されており、通気性素材からなる略円筒状にて形成されている。残骸回収袋は、図１における残骸回収袋０１１０に該当する。
【００２４】
「衝撃殺虫」とは、殺虫排出ファン０２０２にて衝撃により殺虫することをいう。「虫の残骸」とは、衝撃殺虫された後の虫の死骸等をいう。虫とは、主として飛翔昆虫であり、ハエ、蚊、羽蟻、羽虫、ウンカ、蜂、蛾、蝶などの虫が該当するが、これらの虫に何ら限定されず、その他の虫であってもよい。
【００２５】
「通気性素材」とは、空気を通す性質を持つ素材をいう。通気性素材は無数の微小孔を有する繊維性、樹脂製、紙製などの材料である。なお、残骸回収袋は全てが通気性素材にて形成されていなくても良く、少なくとも一部に通気性素材を有しており、排気可能であれば良い。例えば、図３（ａ）に示すように、残骸回収袋の上部０３０１のみが通気性素材であり、下部０３０２は通気性ではない素材とし、上部では主として排気を行い、下部では主として虫の残骸の回収を行うこととしても良い。また、図３（ｂ）に示すように、円筒形状の一部０３０３のみを通気性素材として排気機能を確保しても良い。
【００２６】
「略円筒状」とは、厳密な円筒形状のみに限らず、例えば、図４（ａ）に示す略円錐状の残骸回収袋０４０１、図４（ｂ）に示す断面が略台形状の残骸回収袋０４０２等も含まれる。
【００２７】
「殺虫排出ファン」０２０２とは、虫を衝撃殺虫して残骸回収袋０２０１の内面略円周方向に殺虫された虫の残骸を強風排出するように構成されている。殺虫排出ファン０２０２は、回転羽根０２０３を有し、これがファンケーシング０２０４に収納されている。回転羽根はモータ等（図示せず）により回転される。殺虫排出ファンに吸引された虫は、回転羽根やファンケーシングに衝突する際の衝撃により殺すことができる。殺虫排出ファンは、図１では、ファンモータ０１０６、ファンケーシング０１０７、及びファンケーシングの内部に収納された回転羽根が該当する。
【００２８】
「残骸回収袋の内面略円周方向」とは、略円筒形状をしている残骸回収袋の内面の略円周方向をいう。すなわち、残骸回収袋の内面にそって円を描く方向である。「強風排出」とは、強風により、虫の残骸を強制的に排出することをいう。
【００２９】
殺虫排出ファン０２０２では、残骸回収袋の内面略円周方向に殺虫された虫の残骸を強風排出するため、強風排出された虫の残骸は、残骸回収袋の内面にそって円を描くように強風排出される。排出方向は、図２に示すように風向案内板０２０５を設けることで調整することができる。また、風向案内板を用いずに、排気口を残骸回収袋の内面に沿う方向に設けることで排出方向を調整しても良い。強風排出された虫の残骸は、重力によって次第に下方へ落ちていくため、結果的に、虫の残骸は残骸回収袋内部を旋回するような方向で、殺虫排出ファンから残骸回収袋に排出される（以下、これを「旋回排気」という）。また、残骸回収袋にて回収された後の虫の残骸も、上部からの旋回排気により絶えず巻き上げられて風にさらされるため、効率的に乾燥させることができる。
【００３０】
図２に示すように、殺虫排出ファンのファンケーシング０２０４に設けられた排気口０２０６は、回転羽根を挟んで吸引口０２０７とは反対側へ設けることで、虫を回転羽根０２０３にて確実に衝撃殺虫することができる。なお、吸引口０２０７は、ファンケーシングへの送気を行うことができるのであれば、いずれの位置に設けても良いが、回転羽根の回転軸付近に設けることで、回転羽根への送風をより効率的に行うことができる。
【００３１】
殺虫排出ファンは、残骸回収袋に対して水平に設置することとしても良いし、図１に示す殺虫排出ファンのように、殺虫排出ファンを残骸回収袋に対して垂直に設置しても良い。図５に示す該殺虫排出ファンの概略図により、これを詳細に説明をする。図５に示す殺虫排出ファン０５０１は、ファンケーシング０５０４の内壁面を回転羽根０５０３の円周と略同一とし、回転羽根０５０３の略円周位置に排気口０５０５を設けている。「回転羽根の略円周位置」とは、回転羽根が回転により描く円における円周のいずれかの位置をいう。「排気口」とは、殺虫排出ファン０５０１から残骸回収袋０５０２へ排気を行うための口である。排気口から排気された虫は、風向案内板０５０６により残骸回収袋０５０２へ旋回排気される。図５の殺虫排出ファンでは、排気口を回転羽根の略円周位置に設けているため、殺虫排出ファンに吸引された虫を確実に殺虫することができる。殺虫排出ファンは、殺虫排出ファンの吸引口から吸引された虫が排気口から排気されるまでの間に少なくとも１回は回転羽根が回転している領域を通過するように構成する。
【００３２】
なお、ファンケーシングの内面に樹脂コーティング処理を施しておくと、虫の死骸等が付着しにくく、その後の掃除等を容易に行うことができる。
【００３３】
（実施形態１の具体例）図１、２、５を用いて本実施形態の殺虫機を具体的に説明する。本実施形態の殺虫機では、何らかの手段により、殺虫排出ファンに空気とともに虫を導く。例えば、図１に示すダクト０１０５を殺虫排出ファンに設置することとしても良いし、図２に示すように、殺虫排出ファンに直に吸引口０２０７を設けても良い。
【００３４】
殺虫排出ファンに導かれた虫は、回転羽根及びファンケーシング等に衝突することで衝撃殺虫され、粉々に粉砕される。そして、虫の残骸は、風向案内板０１０９、０２０５、０５０６により、空気とともに残骸回収袋へ旋回排気される。残骸回収袋では、空気を旋回排気するとともに虫の残骸が回収されるため、大量の虫を捕獲した場合であっても、虫の残骸を効率的に乾燥し、かつ、回収することができる。
【００３５】
（実施形態１の効果）本実施形態の殺虫機では、吸引された虫を確実に殺虫し、かつ、殺虫した後の虫の残骸を旋回排気することで効率的に乾燥させることができる。このため、殺虫した虫の残骸の腐敗等を防ぐことができるため衛生的であり、虫の残骸は一般ごみとして廃棄することが可能である。
【００３６】
≪実施形態２≫
【００３７】
（実施形態２の構成）本実施形態の殺虫機は、実施形態１に記載の殺虫機を基本とし、さらに、図１に示すように、ダクト０１０５と吸引フード０１０１を有することを特徴とする。
【００３８】
（実施形態２の構成の説明）「ダクト」０１０５は、吸引口を有するとともに、前記殺虫排出ファンに対して吸引口から吸引された虫を回転軸線方向から導き入れるように取り付けられている。すなわち、ダクトの一端は吸引口であり、他端は前記殺虫排出ファンに接続される。殺虫排出ファンへは、回転羽根の回転軸線方向から虫を導き入れるために、回転軸近傍にダクトの排気口を接続する。図６に、ダクト０６０１の排気口０６０２が殺虫排出ファン０６０３の回転軸０６０４付近に接続されている様子を示す。
【００３９】
ダクト０６０１を回転羽根０６０５の回転軸近傍に接続すると、ダクトから殺虫排出ファンに導かれた虫は、空気の流れに乗って回転羽根に吸い込まれる（矢印１）。殺虫排気ファンの排気口は、図２又は図６に示すように、回転羽根を介した反対側又は回転羽根の円周位置に設けられているため、回転羽根に吸い込まれた虫が殺虫排気ファンから排出されるまでには、必ず回転羽根の回転領域を通らなければいけない。特に図６の殺虫排出ファンでは、回転羽根の円周位置に殺虫排気ファンが設けられており、ダクトからの吸引方向に対して、排気方向が直交している（矢印２）。このため、殺虫排気ファンに導かれた虫が回転羽根をすり抜けて残骸回収袋に達することは極めて困難であり、確実に殺虫排気ファンにて衝撃殺虫することができる。そして、衝撃殺虫された虫は、残骸回収袋の内面略円周方向に強風排出される（矢印３）。
【００４０】
「吸引フード」０１０１は、前記吸引ダクト０１０５の吸引口に設けられ、虫を誘引する誘引手段を備えている。吸引フードは、外側に向けて幅広の反射板０１０３等を有していても良く、反射板等を備えた場合には広範囲からの虫を吸引することができる。
【００４１】
「誘引手段」とは、虫を吸引フード近傍に誘引することができる手段である。例えば、図１に示すように、昆虫が好むナノメータの光線を発する誘引灯０１０２などが用いられる。図７に誘引灯を備えた吸引フードの側方断面図を示す。図７に示すように、誘引灯０７０２は、吸引フード０７０１の吸引口０７０４の略中央付近に設置し、これを取り囲むように上下に反射板０７０３が設けられている。誘引灯０７０２は、蛍光灯であっても良いし、発光ダイオードなどであっても良い。また、誘引対象となる虫に応じて誘引灯の色を変更しても良い。誘引手段としては、誘引灯のほかにも、昆虫が好むフェロモン剤、香り、音、振動、微弱電波等を用いても良いし、対象とする虫に応じてこれらの色（可視光以外の波長も含む）、温度等を変更しても良い。また、これらの複数の誘引手段を併用しても良い。例えば、誘引灯とフェロモン剤の併用や、誘引灯と香りとの併用などである。
【００４２】
（実施形態２の具体例）図１、８を用いて本実施形態の殺虫機を具体的に説明する。図１に示すように、誘引手段として、誘引灯０１０２を用いた場合には、吸引フード０１０１に設けられる反射板０１０３は金属等の光沢を有する材質であることが望ましい。これにより、広範囲から虫を吸引することができるだけでなく、誘引灯の光を反射することで広範囲の虫を誘引することも可能である。また、反射板の反射面に樹脂コーティングを施すことにより、虫が滑りやすくなりより効率的に虫を捕獲することができる。
【００４３】
図１に示すように、吸引フードは殺虫排出ファンの上方に設けても良いし、図８（ａ）に示すように、殺虫排出ファン０８０１の側方に吸引フード０８０２を設けても良い。殺虫排出ファンの上方に設ける場合には、高い位置に飛翔する虫を捕獲することができ、側方に設ける場合には、飛翔力の弱い虫を捕獲することもできる。このように、捕獲する虫の生態や設置場所の状況に応じて吸引フードの設置位置を変更することが効果的である。また、これらの態様に限られず、例えば、吸引フードを斜めに配しても良いし、図８（ｂ）に示すように吸引フード０８０３の吸引口が上方を向くように配置しても良いし、図８（ｃ）に示すように吸引フード０８０４の吸引口が下方を向くように配置しても良いし、図８（ｄ）に示すように吸引フード０８０５の吸引口が低位置で側方を向くように配置しても良い。
【００４４】
吸引フード０１０１から吸引された虫は、ダクト０１０５を介して回転羽根の回転軸線方向から殺虫排出ファンのファンケーシング０１０７に導き入れることができる。殺虫排出ファンの排気口が回転羽根の略円周位置に設けられている場合には、吸引方向に対して排気方向が直交しており、ダクトから殺虫排出ファンに導かれた虫は、回転羽根の高速回転による衝撃と、ファンケーシング０１０７への衝突により、確実に殺虫される。そして、衝撃殺虫された虫は強風排出されて強制的に残骸回収袋０１１０に排出される。
【００４５】
上記の通り、殺虫排出ファンの回転軸線方向から虫を導き入れることにより確実に殺虫することができるため、回転羽根をタイマ０１０８により間欠運転とすることも効果的である。虫の種類によっては気流があると逆らう性質を持ち、誘引されないものもある。このため、回転羽根を間欠運転することでこのような性質を持つ虫も誘引することができる。本実施形態における殺虫機では、虫が確実に衝撃殺虫されるため、回転羽根を一時的に停止させた場合でも、残骸回収袋０１１０から虫が逃げていく虞が無い。このため、逆止弁等を新たに設けて虫が逃げていくのを防止せずとも、効果的に回転羽根の間欠運転を行うことができる。また、間欠運転を行うことにより、常時運転の場合よりも省エネ効果が期待できる。
【００４６】
（実施形態２の効果）本実施形態の殺虫機では、実施形態１に加えて、吸引フードと誘引手段により効率的に虫を誘引、吸引し、吸引された虫を殺虫排出ファンにて確実に殺虫することができる。これにより、回転羽根を間欠運転することも可能であり、虫の特性に応じてより効率的に虫を捕獲して処理することができる。
【００４７】
≪実施形態３≫
【００４８】
（実施形態３の構成）本実施形態の殺虫機は、実施形態１又は２に記載の殺虫機を基本とし、さらに、図１に示すように吸引フードを殺虫排出ファンの上方に設けた場合に「高さ調整手段」０１１１を有することを特徴とする。
【００４９】
（実施形態３の構成の説明）「高さ調整手段」０１１１は、スライド式であり、ダクトの吸引口の高さを変更することができる。図１に示すように、高さ調整手段の下部は殺虫排出ファン、残骸回収袋などに固定されており、上部にはダクト０１０５の吸引口が接続された吸引フード０１０１が設置できるように構成される。高さ調整手段のスライド機構は、例えば、内径の異なる二つの金属管や矩形の鋼材を用意し、一方の金属管又は鋼材にもう一方の金属管又は鋼材を挿入した状態で繋ぎ合わせて形成することができる。また、高さ調整手段の上部には、吸引フードの位置決めのための上部支持体０１１２を備え、吸引フードを上部支持体にて支持する。また、高さ調整手段の略中央部にダクトの略中央部を支持する中央部支持体０１１３を備えることが望ましい。高さ調整手段の下部では、殺虫排出ファン又は／及び残骸回収袋と接続し、吸引フードの高さを高くした場合であっても殺虫排出ファン等が倒れることなく重心のバランスを保つことができるようにすることが望ましい。なお、高さ調整手段の最下部にキャスター０１１４等を設けることで、殺虫機を移動可能とすることがより望ましい。
【００５０】
高さ調整手段０１１１を設ける場合には、ダクト０１０５は伸縮性を有する構造とする。例えば、ダクトを蛇腹状としても良いし、ダクトの素材をゴムなどの伸縮自在な素材にて形成しても良いし、ダクトの延長を十分な長さとして可撓性を有する素材にて形成しても良い。また、ダクト自体を取り外し可能とし、必要に応じた長さのダクトを設置できるようにしても良い。
【００５１】
ダクトの吸引口の高さを調整可能とすることで、設置場所において障害物が存在する場合であっても、これを避けて虫の誘引、吸引を行うことができる。また、障害物が存在しない場合であっても、虫の生態特性に対応した位置に吸引口を設置することが可能である。さらに、キャスターを備えることで、より設置施設の状況や虫の生態特性に対応した位置に殺虫機を設置することができる。
【００５２】
（実施形態３の効果）本実施形態の殺虫機では、実施形態１又は２に加えて、ダクトの吸引口の高さを調整することで、設置施設の状況や虫の生態特性に対応した位置に殺虫機を設置することができる。このため、より効率的に虫を捕獲して処理することができる。
【００５３】
≪実施形態４≫
【００５４】
（実施形態４の構成）本実施形態の殺虫機は、実施形態１から３のいずれかに記載の殺虫機を基本とし、さらに、ダクトの吸引口に風速調整手段を有することを特徴とする。  
【００５５】
（実施形態４の構成の説明）「風速調整手段」は、吸引風速を調整するように構成されている。風速調整手段の一例を図９に示す。図９に示すように、風速調整手段は、吸引フード０９０１に設けられた上下のスリット０９０２などにて構成される。スリットは、例えば、端部に磁石を備えて、所定の角度で吸引フード側壁に固定できるようにする。また、スリットはビス等で固定しても良い。当該スリット０９０２の角度を変化させると、吸引フード０９０１の開口部０９０３の面積が変化する。吸引フードはダクト０９０４に接続されており、風速調整手段であるスリット０９０２により、ダクトの吸引風速を調節することができる。ダクトの排気口に接続されている殺虫排出ファンの回転羽根が一定の速度で回転している場合には、当該開口部０９０３の面積を大きくすると吸引フード０９０１近傍における吸引風速は遅くなり、当該開口部０９０３の面積を小さくすると速くなる。このため、回転羽根の回転数を変化させなくても風速調整手段にて吸引フード近傍の吸引風速を調節することができる。
【００５６】
なお、ダクト０９０４の排気口に接続されている殺虫排出ファンは、ダクトの吸引口における吸引風速が少なくとも５ｍ／ｓｅｃ以上となるように設定して運転することが望ましい。上記風速以上とすることで、蠅、蚊、羽蟻、羽虫、蛾、ウンカなどの主要な害虫を確実に吸引することができる。そして、風速調整手段等にてさらに吸引風速を速くすることで、蜂などの飛翔能力の高い害虫を吸引することも可能である。
【００５７】
（実施形態４の効果）本実施形態の殺虫機では、実施形態１から３に加えて、風速調整手段を設けることで、吸引風速を調整することができる。このため、虫の生態特性に対応した風速に調整することで、より確実に、かつ、効率的に虫を捕獲して処理することができる。
【図面の簡単な説明】
【００５８】
【図１】殺虫機の正面図及び則面図
【図２】実施形態１の殺虫機を示す図
【図３】残骸回収袋の具体例を示す図（１）
【図４】残骸回収袋の具体例を示す図（２）
【図５】殺虫排出ファンの他の形状を示す図
【図６】回転軸線方向にダクトを接続した状態を示す図
【図７】吸引フードの具体例を示す図
【図８】吸引フードの設置位置を示す図
【図９】風速調整手段の具体例を示す図
【符号の説明】
【００５９】
０１０１    吸引フード
０１０２    誘引灯
０１０３    反射板
０１０４    吸引口
０１０５    ダクト
０１０６    ファンモータ
０１０７    ファンケーシング
０１０８    タイマ
０１０９    風向案内板
０１１０    残骸回収袋
０１１１    高さ調整手段
０１１２    上部支持体
０１１３    中央部支持体
０１１４    キャスター
【図１】
2008054564.tif 000003
【図２】
2008054564.tif 000004
【図３】
2008054564.tif 000005
【図４】
2008054564.tif 000006
【図５】
2008054564.tif 000007
【図６】
2008054564.tif 000008
【図７】
2008054564.tif 000009
【図８】
2008054564.tif 000010
【図９】
2008054564.tif 000011